(57)【要約】【課題】並行して運針されるが、それぞれの駆動タイミングが異なる複数の指針を有する指針式時計において、一方の指針の駆動のタイミングを、他方の指針の指示時刻に対してずらすことができる指針式時計を提供すること。【解決手段】他方の指針の表示位置を決めているカウンタのカウント値を、タイミング修正状態において追加する。また、その状態においては、通常表示状態において他方の指針の表示位置を決めているカウンタを臨時に他のカウンタに変更し、単位修正時間に対する第二指針の移動ステップ数を増やすことによって、修正されるタイミングのずれを拡大表示する。指針が扇形表示を行う場合に特に有効である。【選択図】  図１
2010203831.tif 000002
【特許請求の範囲】
【請求項１】
第一指針および第二指針と、前記第一指針および前記第二指針のそれぞれに対応して時計の文字板面に設けられた第一時刻表示目盛および第二時刻表示目盛と、前記第一指針および前記第二指針をそれぞれ個別に駆動する第一指針駆動部および第二指針駆動部と、前記第一指針駆動部および前記第二指針駆動部の動作をそれぞれ制御する第一指針制御部および第二指針制御部を備えた指針式時計において、
通常運針状態においては、前記第一指針制御部および前記第二指針制御部は、前記第一指針を１つの駆動パルスによる移動角度を小さくして短い時間間隔で駆動し、前記第二指針を１つの駆動パルスによる移動角度を大きくして長い時間間隔で駆動することによって、前記第一指針および前記第二指針を、前記第一時刻表示目盛上を同じ平均速度で移動するように、前記第一指針駆動部および前記第二指針駆動部を制御し、
タイミング修正状態においては、前記第二指針制御部は、前記時刻修正状態を終了して前記通常運針状態に復帰した後に前記第二指針が駆動される前記駆動のタイミングを、前記第一指針が前記第一時刻表示目盛の１つを表示するタイミングに対して、前記短い時間間隔と等しいかまたは長く、前記長い時間間隔よりは短い所定の時間間隔だけずらす補正手段を備えたことを特徴とする指針式時計。
【請求項２】
前記タイミング修正状態においては、前記第二指針制御部は前記所定の時間間隔を、前記第二時刻表示目盛上で容易に読み取れるように、前記第二指針を用いて拡大表示する手段を備えたことを特徴とする請求項１に記載の指針式時計。
【請求項３】
前記第一指針は前記指針式時計内部で生じる時刻信号を前記短い時間間隔に相当する回数だけカウントする第一カウンタを有し、
前記第二指針は前記時刻信号を前記長い時間間隔に相当する回数だけカウントする第二カウンタと、前記時刻信号を前記所定の時間間隔に相当する回数だけカウントする第三カウンタを有し、
前記通常運針状態においては、前記第一指針は前記第一のカウンタのカウントアップ信号が生起する都度駆動され、前記第二指針は前記第二カウンタのカウント値に対応する前期第二時刻表示目盛上の位置を占めるように駆動制御され、
前記タイミング修正状態においては、前記第二指針制御部は、前記第三カウンタのカウント値を変更する手段を有すると共に、前記第二指針は前記第三カウンタのカウント値に対応する前記第二時刻表示目盛上の位置を占めるように駆動制御することを特徴とする請求項１または２に記載の指針式時計。
【請求項４】
前記短い時間間隔は１秒から１分の間であり、前記長い時間間隔は１５分であり、前記所定の時間間隔は５分であることを特徴とする請求項１から３のいずれかに記載の指針式時計。
【請求項５】
前記タイミング修正状態においては、前記指針式時計は、少なくとも前記第一指針制御部の計時動作を停止させる手段を有することを特徴とする請求項１から４のいずれかに記載の指針式時計。
【請求項６】
前記第二時刻表示目盛は扇形目盛であり、前記第二指針は前記扇形の第二時刻表示目盛の領域内で往復運動を行うように制御されることを特徴とする請求項１から５のいずれか１つに記載の指針式時計。
【請求項７】
通常時刻表示状態において、前記第一指針は前記第一時刻表示目盛によってローカルタイムを表示し、前記第二指針は前記第二時刻表示目盛によってデュアルタイムを表示することを特徴とする請求項１から６のいずれかに１つに記載の指針式時計。
【発明の詳細な説明】
【技術分野】
【０００１】
本発明は、所定の駆動間隔で運針する少なくとも２つ以上の指針を備えた、指針式時計に関する。更に詳しくは、複数の指針が駆動される時刻の相互のタイミングを調節することができる指針式電子時計に関する。
【背景技術】
【０００２】
近年、複数の時刻を表示可能なデュアルタイム機能等を有する指針式電子時計において、主時刻を表示させるホームタイムおよび旅行先などの時刻を表示させるローカルタイムを様々な表示方法で行う指針式時計が商品化されている。例えば、ホームタイムは通常の時計表示で行い、ローカルタイムはレトログラード表示と言われる扇形往復表示で行う指針式時計がある。
【先行技術文献】
【特許文献】
【０００３】
【特許文献１】特公昭５７−９４６号公報
【０００４】
本発明の先行技術としては、十分に近縁な文献が検出されなかった。そこで、上記の特許文献１を例示するに留める。特許文献１に記載された主な内容は、時差修正スイッチの操作によって、運針表示機構を所定の時間幅（例えば１５分の整数倍）だけ歩進させる世界時計である。
【発明の概要】
【発明が解決しようとする課題】
【０００５】
扇形往復表示でローカルタイム表示を行うデュアルタイム機能を有する指針式時計において、ホームタイム表示は通常の時刻表示を行い、１ステップ１秒毎に運針を行う秒針、秒針に連動する分針、分針に連動する時針の構成をとり、ローカルタイム表示はホームタイム表示から分、秒の情報を得ることができるが、以下の問題がある。
【０００６】
前記した扇形往復表示でローカルタイム表示を行うデュアルタイム機能を有する指針式電子時計において、通常の時計表示をするホームタイムが０時を過ぎても、扇形往復表示をするローカルタイムが０時に戻らず２４時付近に留まっているという不都合な場合が生じ、特に高級時計では見栄えが顕著に悪くなる。
【０００７】
また、前記した扇形往復表示でローカルタイム表示を行うデュアルタイム機能を有する指針式電子時計の構成において、ホームタイム表示とローカルタイム表示は異なる運針間隔で駆動する。例えば、ホームタイム表示は１秒毎の運針間隔であり、ローカルタイム表示は１５分〜１時間毎の長い運針間隔がある。
そのため、ローカルタイム表示の駆動タイミングを前記した長い運針間隔よりも短い時間単位で調節させることで、ホームタイムを基準にしたローカルタイムの運針タイミングの「ずれ」量を違和感が生じない数分以内に合わせることが望ましい。
【０００８】
本発明は通常の時計表示と異なる構成をとる時針を有する時計において、それぞれの指針の目盛上でそれぞれの指す時刻との「ずれ」を修正することができる指針式時計の構成と、その修正方法を提供することを目的とする。
【課題を解決するための手段】
【０００９】
本発明の指針式時計は、第一指針および第二指針と、前記第一指針および前記第二指針
のそれぞれに対応して時計の文字板面に設けられた第一時刻表示目盛および第二時刻表示目盛と、前記第一指針および前記第二指針をそれぞれ個別に駆動する第一指針駆動部および第二指針駆動部と、前記第一指針駆動部および前記第二指針駆動部の動作をそれぞれ制御する第一指針制御部および第二指針制御部を備えた指針式時計において、
通常運針状態においては、前記第一指針制御部および前記第二指針制御部は、前記第一指針を１つの駆動パルスによる移動角度を小さくして短い時間間隔で駆動し、前記第二指針を１つの駆動パルスによる移動角度を大きくして長い時間間隔で駆動することによって、前記第一指針および前記第二指針を、前記第一時刻表示目盛上を同じ平均速度で移動するように、前記第一指針駆動部および前記第二指針駆動部を制御し、
タイミング修正状態においては、前記第二指針制御部は、前記時刻修正状態を終了して前記通常運針状態に復帰した後に前記第二指針が駆動される前記駆動のタイミングを、前記第一指針が前記第一時刻表示目盛の１つを表示するタイミングに対して、前記短い時間間隔と等しいかまたは長く、前記長い時間間隔よりは短い所定の時間間隔だけずらす補正手段を備えたことを特徴とする。
【００１０】
本発明の指針式時計は、前記タイミング修正状態においては、前記第二指針制御部は前記所定の時間間隔を、前記第二時刻表示目盛上で容易に読み取れるように、前記第二指針を用いて拡大表示する手段を備えたことを特徴とする。
【００１１】
本発明の指針式時計は、前記第一指針は前記指針式時計内部で生じる時刻信号を前記短い時間間隔に相当する回数だけカウントする第一カウンタを有し、
前記第二指針は前記時刻信号を前記長い時間間隔に相当する回数だけカウントする第二カウンタと、前記時刻信号を前記所定の時間間隔に相当する回数だけカウントする第三カウンタを有し、
前記通常運針状態においては、前記第一指針は前記第一のカウンタのカウントアップ信号が生起する都度駆動され、前記第二指針は前記第二カウンタのカウント値に対応する前期第二時刻表示目盛上の位置を占めるように駆動制御され、
前記タイミング修正状態においては、前記第二指針制御部は、前記第三カウンタのカウント値を変更する手段を有すると共に、前記第二指針は前記第三カウンタのカウント値に対応する前記第二時刻表示目盛上の位置を占めるように駆動制御することを特徴とする。
【００１２】
本発明の指針式時計は、前記短い時間間隔は１秒から１分の間であり、前記長い時間間隔は１５分であり、前記所定の時間間隔は５分であることを特徴とする。
【００１３】
本発明の指針式時計は、前記タイミング修正状態においては、前記指針式時計は、少なくとも前記第一指針制御部の計時動作を停止させる手段を有することを特徴とする。
【００１４】
本発明の指針式時計は、前記第二時刻表示目盛は扇形目盛であり、前記第二指針は前記扇形の第二時刻表示目盛の領域内で往復運動を行うように制御されることを特徴とする。
【発明の効果】
【００１５】
本発明の指針式電子時計は、運針時間間隔の異なる２つの指針がそれぞれ駆動されるタイミングを調節し、あるいは比較的小さい誤差で一致させることができる利点を有する。
また、タイミング修正時における表示の拡大手段を備えることによって、細かいタイミングの修正を容易に行うことができる。
また、往復扇形表示を含む指針表示において、両指針の駆動タイミングの差を十分小さくすることができる。
また、デュアルタイム表示時計の好ましい表示および修正の形態を提供することができる。
また、タイミング修正動作中に時計の計時を停止させることにより、修正終了後の再発
進時刻の精度を向上させることができる。
【図面の簡単な説明】
【００１６】
【図１】本発明の指針式時計の実施例１における通常運針状態を示す正面図である。
【図２】本発明の実施例１の主要な回路のブロック図である。
【図３】本発明の実施例１の内部カウンタの詳細ブロック図である。
【図４】本発明の実施例１におけるタイミング修正状態リューズ引出状態を示す正面図である。
【図５】本発明の実施例１の第一指針および第二指針の運針動作を示すフローチャートである。
【図６】実施例１の表示形態を応用した指針式時計の例の正面図である。
【発明を実施するための形態】
【００１７】
以下、本発明の指針式電子時計の具体的な実施形態について、図面を参照して説明する。
【実施例１】
【００１８】
図１および図２は本発明の実施例１である指針式電子時計の正面図および主要な回路のブロック図である。また図３は図２の内部カウンタの詳細ブロック図、図４は実施例１のタイミング修正状態におけるリューズ１を示す正面図、図５は実施例１の動作を示すフローチャートである。
図１に示すように、本実施の形態の指針式時計１００は、外装ケース１０と、この外装ケース１０の内部に格納される時計本体２０（図２）とを備えている。外装ケース１０は、図示を略した風防ガラスを通して視認可能の文字板１３が配設されている。また、外装ケース１０の胴部には、例えば、径方向に突出するリューズ１１、および押ボタン１２が設けられている。
【００１９】
リューズ１１は、外装ケース１０の径方向に対して進退自在に設けられる。このリューズ１１は、外装ケース１０からの出没状態に応じて、複数（本実施例１では２段階）のスイッチ信号を後述の制御部２３に出力する。例えば、リューズ１１は、最も外装ケース１０側に没入した状態（リューズ０段状態）、リューズ０段状態から１段階だけ外径方向に引き出された状態（リューズ１段状態）に移動可能に設けられ、それぞれ移動位置に応じたスイッチ信号を制御部２３に出力する。
【００２０】
押ボタン１２は、外装ケース１０の径方向に対して進退自在に設けられ、ばねなどの図示しない付勢部材により、外装ケース１０の径外方向に付勢されている。この押ボタン１２は、例えば時刻の修正など、時計の各種設定を変更する際にボタンの押下で操作されるスイッチを備え、例えば時刻の修正など、時計の各種設定を変更する際に操作され、押下操作回数に応じた操作信号を制御部２３（図２）に出力する。
【００２１】
また、文字板１３は、第一時刻表示目盛１３１と、第二時刻表示目盛１３２とを備えている。第一時刻表示目盛１３１は、文字板１３の円周に略沿って形成され、外周を６０分割する秒表示目盛と分表示目盛および全周を１２分割する時表示目盛を兼用して備えている。なお、秒表示目盛のうち、外周を１２分割する位置の目盛は、他の目盛よりも長く形成され、時表示目盛としても兼用されている。第二時刻表示目盛１３２は、図１に示すように、文字板１３の１２方向の位置と中心の間に設けられている。この第二時刻表示目盛１３２には、例えば、扇形に形成される枠の内周部を２４分割した２４時間制の目盛が配置されている。なお、第二時刻表示目盛１３２に、１往復で１２時間を表示可能な１２時間制目盛が配置される構成などとしてもよい。なお、第二時刻表示目盛１３２は、図１に示すように、第一時刻表示目盛１３１の１２時の方向に設けられる場合に限らず、例えば
、文字板１３の中心に対して６時方向等、その他の位置に設けられていてもよい。
【００２２】
また、文字板１３と外装ケース１０の風防との間には、第一指針１４および第二指針１５が配置されている。第一指針１４は、文字板１３の第一時刻表示目盛１３１の中心に配置された回転軸に接続された第一秒針１４１および第一分針１４２および第一時針１４３を備えており、第二指針１５と比べて大きな表示指針とされている。
第一指針１４は、通常の時計と同様に時分秒針から成り、第一指針駆動部２１（第一のステップモータおよびその駆動回路を含む）からの駆動力が第一秒針１４１に伝達され、以下輪列による機械的な減速が行われて第一指針１４の各指針全体が駆動される。第一指針１４の第一秒針１４１および第一分針１４２および第一時針１４３は、１秒の間隔（第一駆動間隔）でステップ運針される。なお、第一時刻表示目盛１３１の各秒目盛間の中心角は３６０度／６０＝６度であるため、第一秒針１４１は１ステップで３６０度／６０＝６度だけ回転され、第一分針１４２は６０分で３６０度であるため、１ステップで３６０度／３６００＝０．１度だけ回転され、第一時針１４３は１２時間で３６０度であるため、１ステップで３６０度／４３２００＝０．００８３度だけ回転される。
【００２３】
第二指針１５は、文字板１３の第二時刻表示目盛１３２の１２時位置方向に配置された回転軸に接続された第二時針１５１を備えており、通常は「時」の単位のみ読み取れればよいので、第一指針１４に比べて小さな表示指針とされている。
第二時針１５１は、第二指針駆動部２２（第二のステップモータおよびその駆動回路を含む）からの駆動力が伝達されて、駆動される。なお、第二時刻表示目盛１３２の表示角を９６度としたので、第二時針１５１で２４時間表示を行う場合、１５分の駆動間隔（第二駆動間隔）でステップ運針させる。また、第二時刻表示目盛１３２の表示角は９６度／９６＝１度であるため、第二時針１５１は１ステップで９６度／９６＝１度だけ回転される。従って、第二駆動間隔（１５分）は第一駆動間隔（１秒）よりも大きく設定されている。  
【００２４】
通常運針状態において、第一時針１４３が第一時刻目盛１３１上を１時間分だけ移動すると、第二指針１５も第二時刻目盛１３２上をやはり１時間ぶんだけ進む。この意味で、第一時針１４３と第二指針１５とは（駆動時間間隔は異なるが）平均速度は等しい。また、以下第一時針１４３を第一指針１４の代表的存在とみなし、第一指針１５と呼ぶことがある。
【００２５】
上記のような構成の本実施の形態の指針式時計１００では、第一時刻表示目盛１３１および第一指針１４、第二時刻表示目盛１３２および第二指針１５により、それぞれ時差のことなる地域における現在時刻を表示させる、いわゆるデュアルタイム表示が可能となる。例えば、旅行などの場合、出発地の時刻を第一指針１４と第一時刻表示目盛１３１によりホームタイムとして表示させ、旅先での時刻の「時」を第二指針１５と第二時刻表示目盛１３２によって読む（旅先での分、秒時刻は第一分針１４２、第一秒針１４１の指す時刻で読めばよい）などの使用が可能となる。
【００２６】
図２において、時計本体２０は、外装ケース１０の内部における、裏蓋および文字板１３の間を占め、その内部には制御部２３が配置されている。
制御部２３は、制御回路により構成され、指針式時計１００全体の動作を制御する。この制御部２３は、リューズ位置検出部２３１と、スイッチ検出部２３２と、モード切替手段としてのモード切替制御部２３３と、各モードに対する信号切替手段としての信号切替制御部２３４と、内部カウンタ２３５と、第一指針制御部２３６と、第二指針制御部２３７を備えている。なお、第一指針制御部２３６および第二指針制御部２３７により、本発明の運針制御手段が構成される。
【００２７】
リューズ位置検出部２３１は、リューズ１１の位置を検出し、リューズ１１の位置に応じた位置検出信号をモード切替制御部２３３に出力する。
【００２８】
スイッチ検出部２３２は、押ボタン１２の押下状態を検出し、押ボタン１２が押下されたことを検出すると、押下状態に応じた所定の押下認識信号を信号切替制御部２３４に出力する。
【００２９】
モード切替制御部２３３は、リューズ位置検出部２３１から入力された検出信号に基づいて、リューズ位置に対応するモード信号を信号切替制御部２３４、第一指針制御部２３６および第二指針制御部２３７に出力する。
具体的には、モード切替制御部２３３は、リューズ位置検出部２３１からリューズ１１がリューズ移動に連動するスイッチによって、０段状態に位置していることを検出すると、信号切替制御部２３４と、第一指針制御部２３６と、第二指針制御部２３７に通常運針に対応する駆動間隔にて第一指針１４および第二指針１５を駆動させる（通常運針状態）ためのモード信号を出力する。また、モード切替制御部２３３は、リューズ位置検出部２３１からリューズ１１がリューズ１段状態に位置しているという検出信号が入力されたことを認識すると、信号切替制御部２３４と、第一指針制御部２３６と、第二指針制御部２３７に第一指針１４の運針を停止および第二指針１５の第三カウンタの値の表示を実施する（タイミング修正状態）ためのモード信号を出力する。
【００３０】
信号切替制御部２３４は、モード切替制御部２３３からのリューズ位置に対応するモード信号に基づいて、スイッチ検出部２３２からの信号を検出し、内部カウンタ２３５に信号を出力する。
具体的に、通常運針状態で押しボタン１２のスイッチ信号をスイッチ検出部で検出すると、信号切替制御部２３４で、通常運針状態でのスイッチ信号としての信号を内部カウンタ２３５に出力する。また、タイミング修正状態でスイッチ信号をスイッチ検出部で検出すると、信号切替制御部２３４で、時刻修正状態でのスイッチ信号としての信号を内部カウンタ２３５に出力する。
【００３１】
図３に示す内部カウンタ２３５は、第一指針１４および第二指針１５の運針タイミングと第二指針の指針位置の特定を行う。
図３より、内部カウンタ２３５は、第一カウンタ２３５１と、６０進カウンタ２３５２と、５進カウンタ２３５３と、３進カウンタ２３５４と、第二カウンタ２３５５と、第三カウンタ２３５６と、４倍処理回路２３５７と、８倍処理回路２３５８からなる。
第一カウンタ２３５１は、例えば、水晶振動子の基準振動子を含む回路から１Ｈｚの基準信号が出力されている場合、その信号を１つずつカウントする。なお、基準振動子の発振周波数から、秒のみならず、分、時、日やその他任意の長さの時刻信号を別途設けた分周回路等（図示せず）によって作成することができる。更に、クロノグラフ機能を搭載させる場合は、そのために必要な１／１０秒や１／１００秒の時刻信号も作成することができる。また、第一カウンタ２３５１が桁上がりする毎に、第一指針制御部２３６に駆動信号を送り、第一指針１４の運針間隔となる。
【００３２】
６０進カウンタ２３５２は、第一カウンタ２３５１が桁上がりする（１秒）毎の信号を６０回カウントする。即ち、１分で桁上がりするカウンタである。
５進カウンタ２３５３は、６０進カウンタ２３５２が桁上がりする（１分）毎の信号を５回カウントする。即ち、５分で桁上がりするカウンタであり、５進カウンタ２３５３が桁上がりする毎に、８倍処理回路２３５８によって、第三カウンタに８カウントを加算させる。
３進カウンタ２３５４は、５進カウンタ２３５３が桁上がりする（５分）毎の信号を３回カウントする。即ち、１５分で桁上がりするカウンタであり、３進カウンタ２３５４が
桁上がりする毎に、第二カウンタに１カウントを加算させ、第二指針制御部２３７に駆動信号を送り、第二指針１５の運針間隔となる。
【００３３】
第二カウンタ２３５６は、３進カウンタ２３５５が桁上げする（１５分）毎の信号を９６回カウントする。即ち、２４時間で桁上がりするカウンタであり、通常運針状態における第二指針１５の表示位置のカウンタとなる。例えば、通常運針状態において、第二カウンタ２３５６のカウント値が４４の場合、第二指針１５は第二時刻表示目盛１３２の４４ステップ目の１０時１５分の表示位置を示す。また、通常運針状態でのスイッチ信号が入力されると、４倍処理回路２３５７によって、第二カウンタに４カウントを加算させる。
第三カウンタ２３５７は、５進カウンタが桁上げする（５分）毎の信号を、８倍処理回路２３５８によって８個のカウントに増やし、９６回カウントする。即ち、６０分で桁上がりするカウンタであり、タイミング修正状態における第二指針１５の表示位置のカウンタとなる。例えば、タイミング修正状態において、第三カウンタ２３５７のカウント値が８の場合、第二指針は８ステップ目を示し、５分であることを示す。また、時刻修正状態でのスイッチ信号が入力されると、押ボタン１２の１押し毎に８倍処理回路２３５８によって第三カウンタに８カウントを加算させるが、３進カウンタ２３５５に１カウントのみを加算させる。
【００３４】
以上をまとめると、リューズ１１が０段位置（通常運針状態）のときはモード切替制御部２３３は信号切替制御部２３４に対して、押ボタン１２の押下信号を内部カウンタ２３５の４倍処理回路２３５７に入力させ、リューズ１１が１段位置（タイミング修正状態）のときはモード切替制御部２３３は信号切替制御部２３４に対して、押ボタン１２の押下信号を内部カウンタ２３５の８倍処理回路２３５８と３進カウンタ２３５４とに入力させる。
【００３５】
第一指針制御部２３６は、第一カウンタ２３５２のカウントアップ信号が発生するごとに、即ち、１秒間隔で第一指針駆動部に信号を出力し、第一指針駆動部２１を第一駆動間隔（１秒間隔）で駆動させる信号を出力する。また、モード切替制御部２３３からのモード信号によって、タイミング修正状態に設定されると、信号の出力を停止し、運針を停止させる。
【００３６】
第二指針制御部２３７では、通常運針状態において、３進カウンタ２３５５が１カウントアップする間隔つまり１５分間隔で第二指針駆動部を第二駆動間隔（１５分間隔）で駆動させる信号を出力する。また、１５分間隔での通常運針に加えて、押ボタン１２により、第二指針１５の表示位置の修正（時差修正、即ちホームタイムと異なる「時」位置に移動させる）をしている。（押ボタン１２の一押しごと第二カウンタ２３５５に４カウントを加算し、第二指針１５を１時間ぶんずつ歩進させる。）
モード切替制御部２３３からのモード信号によって、タイミング修正状態に設定された場合、第二指針制御部２３７は、第三カウンタ２３５７のカウント値に対応する表示位置に第二指針１５を移動させる。また、押ボタン１２により、第二指針１５の表示位置の修正（タイミング修正、即ち駆動タイミングより短い間隔での修正）をしている。（押ボタン１２の一押しごと第三カウンタ２３５６に８カウントを加算し、第二指針１５を５分間隔ぶんずつ歩進させる。）
【００３７】
第一指針駆動部２１は、制御部２３に電気的に接続され、制御部２３から入力される制御信号に基づいて、所定の駆動間隔で所定の駆動力を発生させ、第一指針駆動部２１にこの駆動力を伝達する。例えば、第一指針駆動部２１は、制御部２３から入力される制御信号に基づいて、第一秒針１４１を１秒毎に６度駆動させる駆動力を発生させる。また、第一指針駆動部２１は、ステップモータと複数のギア群（図示せず）から構成され、これらのギア群を介して、第一指針１４の第一秒針１４１を保持する軸部、第一分針１４２を保持
する軸部、第一時針１４３を保持する軸部に伝達する。この駆動力により軸部が所定の駆動間隔で所定角度だけ回転運動し、第一指針１４の第一秒針１４１、第一分針１４２、第一時針１４３を所定の角度だけ回転させる。
【００３８】
第二指針駆動部２２は、制御部２３に電気的に接続され、制御部２３から入力される制御信号に基づいて、所定の駆動間隔で所定の駆動力を発生させ、第二指針駆動部２２にこの駆動力を伝達させる。また、第二指針駆動部２２は、ステップモータと複数のギア群から構成され、これらのギア群を介して第二指針駆動部から駆動力を、第二指針１５の第二時針１５１を保持する軸部に伝達する。この駆動力により、軸部が所定の時間間隔で所定の角度だけ、駆動される。
【００３９】
〔指針式時計の動作〕
次に、本実施例の動作について、タイミング修正状態にある時計の正面図である図４と、時計の動作を示すフローチャート図５に基づいて説明する。
【００４０】
図４に示すように、リューズ１１が引き出されると、図２におけるリューズ位置検出部２３１からモード切替制御部２３３に所定の検出信号が入力される。また、モード切替制御部２３３に所定の検出信号により、リューズ１１がどの位置に移動されたかを認識し、時計のモード選択処理を実施する。
【００４１】
図５において、制御部２３は、リューズ１１がリューズ１段状態にあるか否かを判定する（ステップＳ１０１）。すなわち、リューズ１１がリューズ０段状態に位置され、リューズ位置検出部２３１からリューズ１１がリューズ０段状態であるという検出信号がモード切替制御部２３３に入力されると、モード切替制御部２３３は、通常運針状態に対応するモード信号を信号切替制御部２３４、第一指針制御部２３６および第二指針制御部２３７に出力する。この場合、制御部２３は、ステップＳ１０１で「ＮＯ」と判定する。
また、第二指針制御部２３７は第二時針１５１を、第二カウンタ２３７の値へと移動させるための第二指針制御信号を第二指針駆動部２２へと出力させる（ステップＳ１０２）。
【００４２】
ステップＳ１０３において、第一カウンタ２３６の桁上がりがあるかの判定を行う。第一カウンタ２３５１の桁上がりがある場合、「ＹＥＳ」と判定し、第一指針制御部２３６は、第一駆動間隔（１秒）毎に、第一指針駆動部２１に印加する信号を制御して、第一指針１４を１秒間隔で運針させる制御をする。
以上、リューズ１１が０段位置にあり、１秒信号が出ている場合は、時計が通常の時分秒表示を行うことを説明したものである。
【００４３】
この後、制御部２３は、３進カウンタ２３５３が桁上がりしたか否かを判断する（ステップＳ１０４）。３進カウンタの桁上がりがある場合、「ＹＥＳ」と判定し、第二カウンタ２３５５に１カウントを加算し、第二指針制御部２３７は、第二駆動間隔（１５分）毎に、第二指針駆動部２２に信号を印加して、第二指針１５を１５分間隔で運針させる制御をする。即ち、第二時刻表示目盛１３２左端の「０」から右へ、現在のカウント値に一致する数（最大９６）までステップ運針駆動によって移動させる（ステップＳ１０５）。
次に、第二カウンタ２３５５が桁上がりしたか否か（即ち、フルカウントである９６カウントに達したかどうか）を判断する（ステップＳ１０６）。
ステップＳ１０６において、第二カウンタ２３５５の桁が上がっていた場合、「ＹＥＳ」と判断され、第二指針制御部２３７は、第二指針駆動部２２に対して、最右端２４時目盛に到達した第二指針１５を最左端である０時位置へ移動させる信号を出力し、第二指針１５を０時位置へ早送り運針により戻す（ステップＳ１０７）。
【００４４】
この後、制御部２３のスイッチ検出部２３２は、押ボタン１２の押下状態を判断し、制御部２３で「ＹＥＳ」と判定され（ステップＳ１０８）、押ボタン１２が押下されたことを認識すると、信号切替制御部２３４で通常運針状態に対応する信号を内部カウンタ２３５に出力し、出力信号の４倍処理（２３５７）をしたカウント数を加算させる。例えば、出力信号が１ならば、４カウントを第二カウンタ２３５５に加算させる（ステップＳ１０９）。
次に、第二カウンタの桁上がりしたか否かを判断する（ステップＳ１１０）。第二カウンタ２３５５の桁上がりがある場合、「ＹＥＳ」と判定し、第二指針１５を桁上がり後の第二カウンタ２３５５のカウント値へと移動させる（ステップＳ１１１）。
また、ステップＳ１１０において、桁上がりがない場合、制御部２３では「ＮＯ」と判定され、第二指針制御部２３７では４ステップの早送り運針を行う信号を第二指針駆動部へ出力し、第二指針１５を運針させる（ステップＳ１１２）。
以上、リューズ１１が０段位置で、かつボタン１２が押下されたときは、時差修正が１時間の単位で行われることを示している。
【００４５】
ステップＳ１０１において、リューズ１１がリューズ１段状態であり、リューズ位置検出部２３１からリューズ１１がリューズ１段状態であるとの検出信号がモード切替制御部２３３に入力されると、モード切替制御部２３３は、時刻修正状態に対応するモード信号を修正制御部２３４、第一指針制御部２３６および第二指針制御部２３７に出力する。この場合、制御部２３は、ステップＳ１０１で「ＹＥＳ」と判定され、
第一指針制御部２３６は、運針を停止させる信号を第一指針駆動部２１に出力し、第一指針１４の運針を停止させる制御をする。この運針停止は、第一カウンタ２３５１への基準信号の入力を停止するか、第一カウンタ２３５１をリセットするか、第一カウンタ２３５１の後段への出力を禁止するなどの手段によって行われる。また同時に、第二指針制御部２３７は、第二カウンタ２３５５、第三カウンタ２３５６へも時刻信号の入力を禁止し、計時動作を停止させる。
第二指針制御部２３７では、第二指針１５を第三カウンタ２３５６のカウント値（最大９６カウント）に対応する指針位置へ移動させ、６０進カウンタ２３５２のカウント値のクリアを行う（ステップＳ１１３）。６０進カウンタ２３５２のクリアを行うことにより、タイミングを修正する場合、０秒を基準に設定することが可能となる。
以上、リューズ１１が１段引状態になると、時計は第一指針１４は運針停止し、第二指針１５がタイミング修正状態になり、第二指針１５の動作巾が拡大されることを示している。
【００４６】
この後、制御部２３のスイッチ検出部２３２は、押ボタン１２の押下状態を判断し、制御部２３で「ＹＥＳ」と判定される（ステップＳ１１４）。
押ボタン１２が押下されたことを認識すると、信号切替制御部２３４でタイミング修正状態に対応する信号を内部カウンタ２３５に出力し、出力信号の数を３進カウンタ２３５４に１カウントを加算させ、出力信号の８倍処理２３５８をした値を第三カウンタに加算させ、第二指針１５を８ステップ運針させる。例えば、出力信号が１つならば、１カウントを３進カウンタに加算させ、８カウントを第三カウンタ２３５６に加算させる（ステップＳ１１５）。
次に、第三カウンタの桁上がりしたか否かを判断する（ステップＳ１１６）。第三カウンタ２３５６の桁上がりがある場合、「ＹＥＳ」と判定し、第二指針１５を桁上がり後の第三カウンタ２３５５へと移動させる（ステップＳ１１７）。
以上、リューズ１１が１段位置で、かつ押ボタン１２が押下されたときは、タイミング修正が５分単位で行われることを示している。
【００４７】
一方、ステップＳ１０１において、リューズ１１がリューズ１段状態に移動された旨の検出信号がモード切替制御部２３３に入力された場合、第二指針制御部２３５は、第二指
針１５（図３）を第二カウンタ２３５５のカウント値に対応する指針位置から切り替えて、第三カウンタ２３５６のカウント値に対応する表示位置の状態に保つ。そして、リューズ１１が移動されるなどして、タイミング修正状態が終了されると、第二指針制御部２３７は、第二指針１５の指針位置を、第二カウンタ２３５５のカウント値に対応する指針位置に戻す制御をする。
タイミング修正状態から通常運針状態に戻った以後は、タイミング修正状態にて追加された５分単位の修正値に従って、第三カウンタ２３５６のカウント値が変わるタイミングの変化として保存される。
【００４８】
〔実施例１の指針式時計の作用のまとめ〕
このように、本実施例１は、通常運針状態において、第二カウンタのカウント値に対応する第二時刻表示目盛１３２上の位置にある第二指針１５を、押ボタン１２の信号を検出することにより第二指針１５を１時間ずつ進める時差設定ができる。
そして、タイミング修正状態においては、第一指針１４と第二指針１５は運針停止し、６０進カウンタ２３５２をクリアし、第二指針１５は第三カウンタ２３５６のカウント値に対応する指針位置に移動されると共に、押ボタン１２の信号を検出するごとに第二指針１５は５分毎に進められて、第二カウンタよりも短い駆動間隔の設定が可能となり、通常運針状態に戻したときに第一指針１４の示す時刻に対して第二指針１５が駆動されるタイミングを５分単位でずらすことが可能となった。また、タイミング修正中の５分単位の修正量は、通常運針状態に戻っても、３進カウンタ２３５４に保存されている。また、６０進カウンタ２３５２をクリアしているため、０秒を基準により正確に駆動されるタイミングを設定できるようになった。従って、第一指針１４と第二指針１５にて、１５分に近いずれなどの不都合を防止できる。
【００４９】
また、タイミング修正状態における第二指針１５の駆動タイミングの修正時間間隔は５分毎であるが、その表示間隔は第二時刻表示目盛１３２上で８ステップ毎という拡大された表示を行う。そのため、第二指針１５に対応する第二時刻表示目盛に更に第三カウンタの目盛を付加してなくとも第二指針目盛をそのまま用いて、使用者は第二指針１５の運針間隔の補正を容易に行うことができる。
【００５０】
〔他の実施の形態について〕
なお、本発明は前述の実施例に限定されるものではなく、異なる実施の形態をとりうる。例えば、第一指針１４と第二指針１５の役割をホームタイムとローカルタイムではなく、相互関係のある他の表示に用いてもよい。また、円形と扇形の時刻表示は入れ替えてもよく、あるいは双方とも円形表示または扇形表示とすることもできる。
【００５１】
タイミング修正状態において、第二指針１５の第三カウンタ２３５６に対応する位置は５分間隔で８ステップの表示ではなく、異なる値であっても良い。例えば、３分間隔で４ステップの表示といった構成でもよい。
【００５２】
また、タイミング修正状態における第二指針の第三カウンタの設定において、１つのモードのみの構成であったが、ボタン操作やリューズ位置により修正できる分の単位および秒の単位を細分化して修正できるモードの構成としてもよい。
【００５３】
さらに、リューズ１１は、２段階に切替可能に設けられているが、これに限定されない。例えば、３段階のみの移動が可能な構成、４段階以上の移動が可能な構成としてもよい。また、通常の時刻修正モード（第一指針の指示する時刻を変更すること）を備えていてもよいのはもちろんである。また、３段階の移動が可能なリューズ１１を複数設ける構成などとしてもよい。ボタン１２においても同様に、押下寸法に応じて、２段階以上に押下状態を切替可能な構成としてもよく、複数のボタン１２が設けられる構成などとしてもよ
い。
【００５４】
そして、上記実施の形態では、第一指針１４の駆動間隔が１秒、第二指針１５１の駆動間隔が１５分とされる指針式電子時計を例示したが、例えば、第一指針１４の駆動間隔が５秒、第二指針の駆動間隔が５分である指針式電子時計であってもよく、その他、第一指針１４１および第二分針１５１の駆動間隔が異なり、第一指針１４を基準として第二指針１５の時刻を修正する指針式電子時計であれば本発明を適用できる。
【００５５】
また、上記実施例として、第一指針１４にてホームタイムを表示し、第二指針１５にてローカルタイムを表示するデュアルタイム表示式の指針式時計１００を例示したが、これに限定されない。例えば、第二指針１５がアラーム時間を表示する時計であり、第一指針１４に基づいて第二指針１５のアラーム時間を設定する構成などにおいても本発明を適用することができ、その他、第一指針１４に基づいて、第二指針１５の時刻表示を修正する構成の指針式電子時計であれば、いかなる構成にも適用することができる。
【００５６】
さらに、上記実施の形態では、上述した各機能がハードウェアである制御回路に組み込まれて構成された例を示したが、例えば、上記機能を有するプログラムをメモリなどに読み出し可能に記録させて、演算手段である、たとえばＣＰＵなどに読み込ませて、上記処理を実施させる構成としてもよく、いずれの形態としても利用できる。なお、プログラムや別途記録媒体から読み取らせる構成とすることにより、上述したように取り扱いが容易で、利用の拡大が図れる。
【００５７】
その他、本発明の実施の際の具体的な構造および手順は、本発明の目的を達成できる範囲で他の構造などに適宜変更できる。
【００５８】
実施例１では第一指針１４の表示している時刻の修正については言及しなかったが、これは公知の構成で実施できる。例えば、リューズを２段引き可能とし、２段目で修正を行ってもよい。この時刻修正についても、本発明のタイミング修正の操作と組み合わせて、操作方法の種々の実施形態があり得る。
【００５９】
〔実施例１の応用例〕
以下、本実施例１のデュアル時刻表示形態を利用して更に付属機能を設けた、実施例１の変形応用例について述べる。
図６は、以下に説明する付属機能を備えた、本発明の指針式時計の表示面の模式図である。７１３は時計７００の文字板、７１４は通常の時針（１２時間で１回転）、７１５は通常の分針（６０分で１回転）、７１６はクロノグラフ秒針で、時刻表示状態（Ｔｉｍｅ
Ｋｅｅｐｉｎｇ :以下ＴＫと略称）では０秒を指して静止し、クロノグラフ機能の動作時（Ｃｈｒｏｎｏｇａｒａｐｈ  Ｃｏｕｎｔｉｎｇ:以下ＣＣとする）に秒の経過を示す場合のみ運針される。
【００６０】
７１７は本発明の実施例１における主要な表示部材と同じものであるデュアルタイム針、７１８は扇形往復表示を行うデュアルタイム針７１７に付属する２４時間分の扇形目盛である。なお、文字板７１３の側面には、多機能を制御するための押ボタンスイッチＳ１、Ｓ２、Ｋ１を備える。Ｓ３は隠し押ボタンスイッチ（誤操作しにくいよう時計ケース側面に埋没されている）、７１１はリューズで押ボタンＳ３とリューズ７１１を用いて実施例１と同様に時差修正と扇形針７１７のタイミング修正を行う。（作用の再度の記載は省略する。）
【００６１】
７１９は通常秒針であり、通常の秒（ＴＫ秒）を常に表示する。７２０はそのための一周６０秒の円形目盛である。指針７２１はＴＫにおける月とＣＣにおけるスタートからの経
過分のいずれかを切り替えて指示する。７２２はそのための目盛で、一周６０分の目盛と１〜１２月の目盛を重複して備えている。指針７２３はＴＫ年とＣＣ経過時間のいずれかを切り替えて表示する。ＴＫの場合、閏年Ｌｅｅｐ  Ｙｅａｒの当年を示すＬＹ符号、ＬＹの翌年１、翌々年２、３年目の３の３つの数字を付した４個の目盛で表示する。ＬＹおよび１〜３の目盛数字７２４はＣＣにおける経過時間（０〜３時間）の表示に兼用される。
【００６２】
各スイッチを操作すると、下記の機能を行う。
（１）Ｋ１を長く押すと（例えば１〜２秒間）、時計のモード（ＴＫとＣＣ）が切り替わる。
（２）ＴＫ時：Ｓ２はミニッツリピータ（Ｓ２を押した時刻の時と分を音響コードで知らせる機能）を行う。
（３）ＴＫ時：Ｓ１は不感。
（４）ＣＣ時：Ｓ２は計時のスタートまたはストップを行う。
（５）ＣＣ時：Ｓ１はスプリットまたはリセットを行う。
【００６３】
このような時計７００においては、使用時に次の課題が生じる。
閏年の１２月においては、ＴＫ時、指針７２３はＬＹを指し、指針７２１は１２月（ＣＣ時経過０分の目盛位置でもある）を指し、クロノグラフ秒針７１６は０秒を指す。しかし、時計がＣＣからリセットされた後の状態でも同じ表示がなされる。即ち、時計がＴＫ状態にあるかクロノグラフリセット状態にあるかが、指針表示を見ただけでは判別できない。
【００６４】
そこで、時計の状態を使用者に知らせるために、下記の解決手段を採用する。
（ａ）ＴＫからＣＣへのモード移行時：クロノグラフ秒針７１６を早送りで１周させる（例えば１秒以内の短時間内）。
（ｂ）ＣＣからＴＫへのモード移行時：クロノグラフ秒針７１６を、例えば１２時位置→１１時位置→１時位置→１２時位置のように、早送りで所定角度の扇形範囲内を短時間で往復運動させる。
【００６５】
このように、特定した指針（複数でも可）に、時計のモードの移行方向に応じて異なる動作をさせることで、使用者は時計の状態を知ることができる。また、モードの移行直後でなく時間が経ってからでも、例えばスイッチＫ１の連続２度押し（ダブルクリック）などの所定の操作によって、現在モードがＴＫなら（ｂ）の状態が、また現在モードがＣＣであってスタート前ならば（ａ）の状態が呼び出されるようにすれば、使用者は任意時に時計の状態を確認することができる。
【符号の説明】
【００６６】
１０  外装ケース
１１  リューズ
１２  押ボタン
１３  文字板
１４  第一指針
１５  第二指針
１００  指針式時計
１３１  第一時刻表示目盛
１３２  第二時刻表示目盛
１４１  第一秒針
１４２  第一分針
１４３  第一時針
１５１  第二時針
２３３  モード切替制御部
２３５  第一指針制御部
２３６  第二指針制御部
２３５１  第一カウンタ
２３５５  第二カウンタ
２３５６  第三カウンタ
【図１】
2010203831.tif 000003
【図２】
2010203831.tif 000004
【図３】
2010203831.tif 000005
【図４】
2010203831.tif 000006
【図５】
2010203831.tif 000007
【図６】
2010203831.tif 000008